(57)【要約】      （修正有）【課題】装着性の向上を図りながら、意匠性を損なうことなく、ポケット部を形成することができるマスクを提供する。【解決手段】マスク１は、着用者の鼻及び口を覆う外側被覆部３と、外側被覆部３の左右に外側被覆部３と連続して一体に設けられ、着用者の耳に保持される被保持部５と、外側被覆部３の着用者側の面に設けられる内側被覆部と、外側被覆部３及び内側被覆部の上端及び下端を縫合してなる主縫合部１３、１４と、主縫合部１３、１４の縫合により外側被覆部３及び内側被覆部の間に形成され、左右方向に開口するポケット部９と、を備える。【選択図】図１
0003229141.tif 000002
【実用新案登録請求の範囲】
【請求項１】
着用者の鼻及び口を覆う外側被覆部と、
前記外側被覆部の左右に該外側被覆部と連続して一体に設けられ、前記着用者の耳に保持される被保持部と、
前記外側被覆部の前記着用者側の面に設けられる内側被覆部と、
前記外側被覆部及び前記内側被覆部の上端及び下端を縫合してなる主縫合部と、
前記主縫合部の縫合により前記外側被覆部及び前記内側被覆部の間に形成され、左右方向に開口するポケット部と、
を備えてなるマスク。
【請求項２】
前記外側被覆部及び該外側被覆部と連続して一体をなす前記被保持部は、
ストレッチ素材からなる布製の第１部材と、
２枚の前記第１部材を前記外側被覆部において縫合する第１縫合部と、を含み、
前記第１部材は、前記第１縫合部によって縫合される部分が円弧状に膨らむよう形成されており、
前記第１縫合部は、前記外側被覆部における左右方向中央に形成されてなる、請求項１に記載のマスク。
【請求項３】
前記内側被覆部は、
ストレッチ素材からなる布製の第２部材と、
２枚の前記第２部材を縫合する第２縫合部と、を含み、
前記第２部材は、前記第２縫合部によって縫合される部分が円弧状に膨らむよう形成されており、
前記第２縫合部は、前記内側被覆部における左右方向中央に形成されてなる、請求項２に記載のマスク。
【請求項４】
前記主縫合部において、前記第１縫合部の縫代は、左右方向いずれか一方に向かって延びた状態で縫合され、前記第２縫合部の縫代は、左右方向いずれか他方に向かって延びた状態で縫合されてなる、請求項３に記載のマスク。
【請求項５】
前記主縫合部、前記第１縫合部及び前記第２縫合部の縫代は、前記ポケット部の内側に位置してなる、請求項１〜４のいずれか一項に記載のマスク。
【考案の詳細な説明】
【技術分野】
【０００１】
本考案はマスクに係り、特に意匠性を向上させる技術に関する。
【背景技術】
【０００２】
例えば、２枚の不織布等からなり、着用者の口や鼻を覆う衛生マスクが広く流通している（特許文献１）。また、マスクの着用者側（内側）の面にフィルター等を収納可能なポケットを有するマスクが開発されている（特許文献２）。
【先行技術文献】
【特許文献】
【０００３】
【特許文献１】特開２０１８−８７３８７号公報
【特許文献２】実登３０８９８５８号
【考案の概要】
【考案が解決しようとする課題】
【０００４】
上記特許文献１に開示されるようなマスクは、上記特許文献２に開示されるようなポケット部を形成すると、外側の面にポケット部の左右端部の縫合の跡が現れ、意匠性を損なうこととなり、好ましいことではない。
【０００５】
本考案はこのような課題に鑑みてなされたものであり、その目的とするところは、装着性の向上を図りながら、意匠性を損なうことなく、ポケット部を形成することができるマスクを提供することにある。
【課題を解決するための手段】
【０００６】
上記の目的を達成するため、本考案のマスクは、着用者の鼻及び口を覆う外側被覆部と、前記外側被覆部の左右に該外側被覆部と連続して一体に設けられ、前記着用者の耳に保持される被保持部と、前記外側被覆部の前記着用者側の面に設けられる内側被覆部と、前記外側被覆部及び前記内側被覆部の上端及び下端を縫合してなる主縫合部と、前記主縫合部の縫合により前記外側被覆部及び前記内側被覆部の間に形成され、左右方向に開口するポケット部と、を備えてなることを特徴とする。
【０００７】
これにより、着用者の鼻及び口を覆う外側被覆部と着用者の耳に保持される被保持部とを連続して一体に設け、外側被覆部及び内側被覆部の上端及び下端を主縫合部で縫合して、外側被覆部及び内側被覆部の間に、左右方向に開口するポケット部を形成するようにマスクを構成したので、外側被覆部と被保持部とを連続して一体とすることで装着性を向上させつつ、外側被覆部及び内側被覆部の間にポケット部を形成するための主縫合部が外側被覆部の表面に現れることを抑制することが可能とされる。
【０００８】
その他の態様として、前記外側被覆部及び該外側被覆部と連続して一体をなす前記被保持部は、ストレッチ素材からなる布製の第１部材と、２枚の前記第１部材を前記外側被覆部において縫合する第１縫合部と、を含み、前記第１部材は、前記第１縫合部によって縫合される部分が円弧状に形成されており、前記第１縫合部は、前記外側被覆部における左右方向中央に形成されてなるのが好ましい。
【０００９】
これにより、外側被覆部及び被保持部をストレッチ素材からなる第１部材で構成し、第１部材の第１縫合部によって縫合される外側被覆部の部分を円弧状に形成し、外側被覆部における左右方向中央で縫合して外側被覆部を形成することで、外側被覆部及び被保持部を全体に伸縮可能にして装着性をより一層向上させつつ、着用者が当該マスクを着用した際に外側被覆部の左右方向中央が前方に膨らむように形成することができ、該形状を第１縫合部によって良好に保持することが可能とされる。
【００１０】
その他の態様として、前記内側被覆部は、ストレッチ素材からなる布製の第２部材と、２枚の前記第２部材を縫合する第２縫合部と、を含み、前記第２部材は、前記第２縫合部によって縫合される部分が円弧状に形成されており、前記第２縫合部は、前記内側被覆部における左右方向中央に形成されてなるのが好ましい。
【００１１】
これにより、第２部材の第２縫合部によって縫合される部分を円弧状に形成し、内側被覆部における左右方向中央で縫合して内側被覆部を形成することで、内側被覆部を全体に伸縮可能にして装着性をより一層向上させつつ、着用者が当該マスクを着用した際に内側被覆部の左右方向中央が前方に膨らむように形成することができ、該形状を第２縫合部によって良好に保持することが可能とされる。
【００１２】
その他の態様として、前記主縫合部において、前記第１縫合部の縫代は、左右方向いずれか一方に向かって延びた状態で縫合され、前記第２縫合部の縫代は、左右方向いずれか他方に向かって延びた状態で縫合されてなるのが好ましい。
【００１３】
これにより、第１縫合部の縫代と第２縫合部の縫代と互い違いに延びた状態で主縫合部で縫合することで、主縫合部で第１縫合部の縫代と第２縫合部の縫代とが重ならないようにでき、主縫合部が厚くなることを抑制することが可能とされる。
【００１４】
その他の態様として、前記主縫合部、前記第１縫合部及び前記第２縫合部の縫代は、前記ポケット部の内側に位置してなるのが好ましい。
【００１５】
これにより、各縫合部の縫代がポケット部の内側に位置することで、当該マスクの意匠性を向上させることが可能とされる。
【考案の効果】
【００１６】
本考案のマスクによれば、着用者の鼻及び口を覆う外側被覆部と着用者の耳に保持される被保持部とを連続して一体に設け、外側被覆部及び内側被覆部の上端及び下端を主縫合部で縫合して、外側被覆部及び内側被覆部の間に、左右方向に開口するポケット部を形成したので、外側被覆部及び内側被覆部の間にポケット部を形成するための主縫合部が外側被覆部の表面に現れることを抑制することができる。これにより、外側被覆部と被保持部とを連続して一体とすることで装着性を向上させつつ、意匠性を損なうことなく、ポケット部を形成したマスクを実現することができる。
【図面の簡単な説明】
【００１７】
【図１】布マスクの立体斜視図である。
【図２】布マスクの後方斜視図である。
【図３】布マスク１のアウタ部３と耳掛け部５を構成する上記ストレッチ素材からなる部材Ａの平面図である。
【図４】布マスク１のインナ部７を構成する上記ストレッチ素材からなる部材Ｂの平面図である。
【図５】第３工程時における、図３、４中のI-I断面の断面図である。
【考案を実施するための形態】
【００１８】
以下、図面に基づき本考案の一実施形態について説明する。
図１を参照すると、布マスク（マスク）１の立体斜視図が示されている。布マスク１は、口や鼻を覆うために用いる布製の所謂衛生用マスクである。また、布マスク１は、主に水着に用いられるストレッチ素材、例えばポリエステル、又はナイロン及びポリウレタンを含む生地からなり、濾過性のみならず、可撓性、速乾性及び紫外線の反射性などを備える。以下、布マスク１を着用した人（着用者）が起立した状態における、当該着用者の前方を「前方」とし、後方や左右方向、上下方向についても同様に「後方」、「左右方向」及び「上下方向」として説明する。
【００１９】
布マスク１は、アウタ部（外側被覆部）３、耳掛け部（被保持部）５、インナ部（内側被覆部）７及びポケット部９を有している。アウタ部３は、布マスク１の前側の面を形成する部分であり、布マスク１の意匠面を形成する。耳掛け部５は、アウタ部３の左右両端からそれぞれ外方に連続して一体に延びてなる。また、耳掛け部５は、略中央に開口５ａが形成されてなる。この耳掛け部５は、開口５ａが着用者の耳に係止（保持）されることで、布マスク１を着用者に保持させることができる。
【００２０】
図２を参照すると、布マスク１の後方斜視図が示されている。インナ部７は、アウタ部３の後側の面（着用者側の面）を形成する部分であり、着用者の口や鼻に触れる部分である。このインナ部７の上端及び下端は、アウタ部３の上端及び下端にそれぞれ縫合されてなる。ポケット部９は、アウタ部３とインナ部７との間に形成され、左右方向に延びる筒状の部分である。換言すると、ポケット部９は、インナ部７の上端及び下端がアウタ部３の上端及び下端にそれぞれ縫合されることで、左右方向に開口してなる。したがって、布マスク１は、ポケット部９に、ガーゼ２０を入れることで濾過性を向上させることや、メントール等を含む冷感剤を入れることで着用者に冷感を与えることができる。
【００２１】
図３を参照すると、布マスク１のアウタ部３と耳掛け部５を構成する上記ストレッチ素材からなる第１部材Ａの平面図が示されている。また、図４を参照すると、布マスク１のインナ部７を構成する上記ストレッチ素材からなる第２部材Ｂの平面図が示されている。布マスク１は、２枚の第１部材Ａ（図３）と２枚の第２部材Ｂ（図４）を、第１縫合部１１、第２縫合部１２、第３縫合部（主縫合部）１３及び第４縫合部（主縫合部）１４で縫合することで形成されてなる。
【００２２】
第１部材Ａは、前端Ａ１から後側に向かうにつれて上下方向の長さが短くなるように形成されてなる。この第１部材Ａの前端Ａ１は、上下方向中央が前方に膨らむよう円弧状に形成されてなる。また、第１部材Ａの後端は、半円形に形成され、上下方向中央に開口５ａが形成されてなる。したがって、１枚の第１部材Ａからは、アウタ部３の左右一方の半分及び左右一方の耳掛け部５を形成することができる。
【００２３】
第２部材Ｂは、第１部材Ａと比較すると、後側が前後方向略中央で欠いた形状である。したがって、１枚の第２部材Ｂでは、インナ部７の左右一方の半分を形成することができる。
【００２４】
以下、布マスク１の製造方法を説明しつつ、各縫合部について説明する。まず、第１工程では、２枚の第１部材Ａを重ね合わせた状態で、第１部材Ａの前端Ａ１を縫合する。これにより、第１工程では、２枚の第１部材Ａからアウタ部３及び左右の耳掛け部５を形成することができる。特に、アウタ部３には、左右方向中央に、第１部材Ａの前端Ａ１に沿って延びる円弧状の第１縫合部１１が形成されるので、着用者が布マスク１を着用した際に、着用者の鼻から顎までの形状を保持することができる。以下、説明の便宜上、第１工程による生成物を第１工程品という。
【００２５】
次に、第２工程では、２枚の第２部材Ｂを重ね合わせた状態で、第２部材Ｂの円弧端Ｂ１を縫合する。これにより、第２工程では、２枚の第２部材Ｂからインナ部７を形成することができる。特に、インナ部７には、アウタ部３と同様に、左右方向中央に、第２部材Ｂの円弧端Ｂ１に沿って延びる円弧状の第２縫合部１２が形成されるので、着用者が布マスク１を着用した際に、着用者の鼻から顎までの形状を良好に保持することができる。以下、説明の便宜上、第２工程による生成物を第２工程品という。
【００２６】
次に、第３工程では、第１工程品の第１縫合部１１と第２工程品の第２縫合部１２とが互いに反対方向に向くようにし、縫代１３ａ及び１４ａを互いに突き当てるように配置し、第１工程品及び第２工程品の上端及び下端をそれぞれ縫合する。これにより、第１工程品及び第２工程品の上端に第３縫合部１３が形成され、第１工程品及び第２工程品の下端に第４縫合部１４が形成される。ゆえに、第１工程品と第２工程品との間には、ポケット部９を形成することができる。
【００２７】
図５を参照すると、第３工程時における、図３、４中のI-I断面の断面図が示されている。ここで、第３工程では、第１工程品及び第２工程品の上端及び下端を縫合するとき、第１縫合部１１の縫代１１ａが図５紙面上で視て右側を向くようにし、第２縫合部１２の縫代１２ａが図５紙面上で視て左側を向くようにして、例えば図５紙面上右方から左方に向かって縫合する。これにより、第１縫合部１１の縫代１１ａと第２縫合部１２の縫代１２ａとが第３縫合部１３及び第４縫合部１４上で重なることを防止することができる。
【００２８】
第３工程まででは、ポケット部９は第１工程品の裏面と第２工程品の裏面とが共に外側に現れるような状態となっているため、第４工程において、これら第１工程品の裏面と第２工程品の裏面とが対面するように第１工程品及び第２工程品を裏返す。即ち、第１工程品の表面と第２工程品の表面とが共に外側に現れるようにする。これにより、各縫合部の縫代（図３、４の１１ａ〜１４ａ）がポケット部９の内側に位置するので、布マスク１の意匠性を向上させることや、各縫合部の縫代が着用者の顔に接触することを防止することができる。
【００２９】
ここで、上述したように、ポケット部９は、左右方向に開口するよう形成されてなる。また、上述した布マスク１の製造方法によれば、アウタ部３及びインナ部７の上端及び下端が第１縫合部１１及び第２縫合部１２によって縫合されることでポケット部９が形成されるので、インナ部７の左右端部を縫合することなくポケット部９を形成することができる。これにより、アウタ部３にインナ部７を縫合することによる縫い目が布マスク１の意匠面を形成するアウタ部３に現れることを防止することができる。
【００３０】
以上説明したように、本考案に係る布マスク１は、着用者の鼻及び口を覆うアウタ部３と、アウタ部３の左右にアウタ部３と連続して一体に設けられ、着用者の耳に係止される耳掛け部５と、アウタ部３の着用者側の面に設けられるインナ部７と、アウタ部３及びインナ部７の上端及び下端を縫合してなる第３縫合部１３及び第４縫合部１４と、アウタ部３及びインナ部７の間に形成され、左右方向に開口するポケット部９と、を備えてなる。
【００３１】
従って、着用者の鼻及び口を覆うアウタ部３と着用者の耳に保持される耳掛け部５とを連続して一体に設け、アウタ部３及びインナ部７の上端及び下端を第３縫合部１３及び第４縫合部１４で縫合し、アウタ部３及びインナ部７の間に、左右方向の少なくともいずれか一方に開口するポケット部９を形成したので、アウタ部３と耳掛け部５とを連続して一体とすることで装着性を向上させつつ、アウタ部３及びインナ部７の間にポケット部９を形成するための縫合部がアウタ部３の前側の面に現れることを抑制することができる。
【００３２】
そして、アウタ部３及びアウタ部３と連続して一体をなす耳掛け部５は、ストレッチ素材からなる布製の第１部材Ａと、２枚の第１部材Ａをアウタ部３で縫合する第１縫合部１１と、を含み、第１部材Ａは、前端Ａ１が前方に円弧状に膨らむよう形成されており、第１縫合部１１は、アウタ部３における左右方向中央に形成されたので、アウタ部３及び耳掛け部５の全体を伸縮可能にして装着性をより一層向上させつつ、着用者が布マスク１を着用した際にアウタ部３の左右方向中央が前方に膨らむように形成することができ、該形状を第１縫合部１１によって良好に保持することができる。
【００３３】
そして、インナ部７は、ストレッチ素材からなる布製の第２部材Ｂと、２枚の第２部材Ｂを縫合する第２縫合部１２と、を含み、第２部材Ｂは、円弧端Ｂ１が前方に円弧状に膨らむよう形成されており、第２縫合部１２は、インナ部７における左右方向中央に形成されたので、インナ部７の全体を伸縮可能にして装着性をより一層向上させつつ、着用者が当該布マスク１を着用した際にインナ部７の左右方向中央が前方に膨らむように形成することができ、該形状を第２縫合部１２によって良好に保持することができる。
【００３４】
さらに、第３縫合部１３及び第４縫合部１４において、第１縫合部１１の縫代１１ａが左右方向いずれか一方に向かって延びた状態で、第２縫合部１２の縫代１２ａが左右方向いずれか他方に向かって延びた状態でこれら縫代１１ａ及び縫代１２ａを縫代１３ａ及び縫代１４ａに縫合するようにしたので、第３縫合部１３及び第４縫合部１４では、第１縫合部１１の縫代１１ａと第２縫合部１２の縫代１２ａとが重ならないようにでき、第３縫合部１３及び第４縫合部１４が厚くなることを抑制することができる。
【００３５】
そして、各縫合部（１１〜１４）の縫代（１１ａ〜１４ａ）は、ポケット部９の内側に隠れるように位置するので、布マスク１の意匠性を向上させることができる。
【００３６】
以上で本考案に係るマスクの説明を終えるが、本考案は上記実施形態に限られるものではなく、考案の主旨を逸脱しない範囲で変更可能である。
【００３７】
例えば、本実施形態では、布マスク１のストレッチ素材は、例えばポリエステル、又はナイロン及びポリウレタンを含む生地からなると説明したが、ポリプロピレン等を含む不織布であってもよい。
また、本実施形態では、アウタ部３と耳掛け部５をなす第１部材Ａとインナ部７をなす第２部材Ｂとを同じ素材で構成することを想定しているが、第１部材Ａと第２部材Ｂとは異なる素材で構成するようにしてもよい。
【符号の説明】
【００３８】
１  布マスク（マスク）
３  アウタ部（外側被覆部）
５  耳掛け部（被保持部）
７  インナ部（内側被覆部）
９  ポケット部
１１  第１縫合部
１１ａ  縫代
１２  第２縫合部
１２ａ  縫代
１３  第３縫合部（主縫合部）
１３ａ  縫代
１４  第４縫合部（主縫合部）
１４ａ  縫代
Ａ  第１部材
Ｂ  第２部材
【図１】
0003229141.tif 000003
【図２】
0003229141.tif 000004
【図３】
0003229141.tif 000005
【図４】
0003229141.tif 000006
【図５】
0003229141.tif 000007
【手続補正書】
【提出日】令和2年8月21日(2020.8.21)
【手続補正１】
【補正対象書類名】実用新案登録請求の範囲
【補正対象項目名】全文
【補正方法】変更
【補正の内容】
【実用新案登録請求の範囲】
【請求項１】
着用者の鼻及び口を覆う外側被覆部と、
前記外側被覆部の左右に該外側被覆部と連続して一体に設けられ、前記着用者の耳に保持される被保持部と、
前記外側被覆部の前記着用者側の面に設けられる内側被覆部と、
前記外側被覆部及び前記内側被覆部の上端及び下端を縫合してなる主縫合部と、
前記主縫合部の縫合により前記外側被覆部及び前記内側被覆部の間に形成され、左右方向に開口するポケット部と、
を備え、
前記外側被覆部及び該外側被覆部と連続して一体をなす前記被保持部は、布製の第１部材と、２枚の前記第１部材を前記外側被覆部において縫合する第１縫合部と、を含み、
前記内側被覆部は、布製の第２部材と、２枚の前記第２部材を縫合する第２縫合部と、を含み、
前記主縫合部、前記第１縫合部及び前記第２縫合部は、前記ポケット部の内側に位置してなるマスク。
【請求項２】
前記第１部材は、ストレッチ素材であって、前記第１縫合部によって縫合される部分が円弧状に膨らむよう形成されており、
前記第１縫合部は、前記外側被覆部における左右方向中央に形成されてなる、請求項１に記載のマスク。
【請求項３】
前記第２部材は、ストレッチ素材であって、前記第２縫合部によって縫合される部分が円弧状に膨らむよう形成されており、
前記第２縫合部は、前記内側被覆部における左右方向中央に形成されてなる、請求項２に記載のマスク。
【請求項４】
前記主縫合部において、前記第１縫合部の縫代は、左右方向いずれか一方に向かって延びた状態で縫合され、前記第２縫合部の縫代は、左右方向いずれか他方に向かって延びた状態で縫合されてなる、請求項３に記載のマスク。
【請求項５】
前記主縫合部、前記第１縫合部及び前記第２縫合部の縫代は、前記ポケット部の内側に位置してなる、請求項１〜４のいずれか一項に記載のマスク。
【手続補正２】
【補正対象書類名】明細書
【補正対象項目名】０００６
【補正方法】変更
【補正の内容】
【０００６】
上記の目的を達成するため、本考案のマスクは、着用者の鼻及び口を覆う外側被覆部と、前記外側被覆部の左右に該外側被覆部と連続して一体に設けられ、前記着用者の耳に保持される被保持部と、前記外側被覆部の前記着用者側の面に設けられる内側被覆部と、前記外側被覆部及び前記内側被覆部の上端及び下端を縫合してなる主縫合部と、前記主縫合部の縫合により前記外側被覆部及び前記内側被覆部の間に形成され、左右方向に開口するポケット部と、を備え、前記外側被覆部及び該外側被覆部と連続して一体をなす前記被保持部は、布製の第１部材と、２枚の前記第１部材を前記外側被覆部において縫合する第１縫合部と、を含み、前記内側被覆部は、布製の第２部材と、２枚の前記第２部材を縫合する第２縫合部と、を含み、前記主縫合部、前記第１縫合部及び前記第２縫合部は、前記ポケット部の内側に位置してなることを特徴とする。
【手続補正３】
【補正対象書類名】明細書
【補正対象項目名】０００７
【補正方法】変更
【補正の内容】
【０００７】
これにより、着用者の鼻及び口を覆う外側被覆部と着用者の耳に保持される被保持部とを連続して一体に設け、外側被覆部及び内側被覆部の上端及び下端を主縫合部で縫合して、外側被覆部及び内側被覆部の間に、左右方向に開口するポケット部を形成するようにマスクを構成したので、外側被覆部と被保持部とを連続して一体とすることで装着性を向上させつつ、外側被覆部及び内側被覆部の間にポケット部を形成するための主縫合部、第１縫合部及び第２縫合部が外側被覆部の表面に現れることを抑制することが可能とされる。
【手続補正４】
【補正対象書類名】明細書
【補正対象項目名】０００８
【補正方法】変更
【補正の内容】
【０００８】
その他の態様として、前記第１部材は、ストレッチ素材であって、前記第１縫合部によって縫合される部分が円弧状に形成されており、前記第１縫合部は、前記外側被覆部における左右方向中央に形成されてなるのが好ましい。
【手続補正５】
【補正対象書類名】明細書
【補正対象項目名】００１０
【補正方法】変更
【補正の内容】
【００１０】
その他の態様として、前記第２部材は、ストレッチ素材であって、前記第２縫合部によって縫合される部分が円弧状に形成されており、前記第２縫合部は、前記内側被覆部における左右方向中央に形成されてなるのが好ましい。